(57)【要約】【課題】カラオケ選曲装置に選曲履歴とその楽曲関連情報を提示する。【解決手段】利用者入力に従って楽曲索引データベースから抽出した１つの楽曲ＩＤを含んだ演奏予約電文をカラオケ装置に送信した際、当該楽曲ＩＤを選曲履歴簿に記録し、選曲履歴の閲覧を指示する利用者入力があった際、選曲履歴簿から新しい順に所定曲数分の楽曲ＩＤを抽出するとともに、楽曲索引データベースを参照し、それら抽出楽曲の曲名とアーティスト名を表示させ、１つの曲名の選択入力があった際、楽曲ＩＤと付加価値情報源を対応付けて複数格納した付加価値データベースから当該楽曲ＩＤに該当する付加価値情報源を抽出し、その中のサイト説明記述を列挙表示させ、１つのサイト説明記述の選択入力があった際、当該サイト説明記述に該当するＵＲＬを抽出し、インターネットに接続して当該ＵＲＬにリクエストを送信するカラオケ選曲装置を提供する。【選択図】図７
2008262119.tif 000002
【特許請求の範囲】
【請求項１】
第１通信手段と、第２通信手段と、記憶手段と、ユーザインタフェースと、制御手段とを備え、楽曲索引データベースおよび付加価値データベースにアクセス可能なカラオケ選曲装置であって、
楽曲索引データベースは、楽曲ＩＤと曲名とアーティスト名の対応付け情報を集約し、
付加価値データベースは、楽曲ＩＤと付加価値情報源を対応付けて複数格納し、
付加価値情報源は、サイト説明記述とＵＲＬの対応付け情報を少なくとも１つ含み、
第１通信手段は、カラオケ装置と交信可能とし、
第２通信手段は、インターネットに接続可能とし、
記憶手段は、選曲履歴簿を格納し、
選曲履歴簿は、楽曲ＩＤを選曲予約順に配列し、
ユーザインタフェースは、制御手段の制御により利用者に情報を表示するとともに、利用者の操作入力を受け付け、
制御手段は、第１処理〜第４処理を可能とし、
第１処理は、利用者入力に従って楽曲索引データベースから抽出した１つの楽曲ＩＤを含んだ演奏予約電文をカラオケ装置に送信した際、当該楽曲ＩＤを選曲履歴簿に記録し、
第２処理は、選曲履歴の閲覧を指示する利用者入力があった際、選曲履歴簿から新しい順に所定曲数分の楽曲ＩＤを抽出するとともに、楽曲索引データベースを参照し、それら抽出楽曲の曲名とアーティスト名を表示させ、かつ、１つの曲名の選択入力を受付可能とし、
第３処理は、第２処理にて曲名の選択入力があった際、付加価値データベースから当該楽曲ＩＤに該当する付加価値情報源を抽出し、その中のサイト説明記述を列挙表示させるとともに、１つのサイト説明記述の選択入力を受付可能とし、
第４処理は、第３処理にてサイト説明記述の選択入力があった際、当該サイト説明記述に該当するＵＲＬを抽出し、インターネットに接続して当該ＵＲＬにリクエストを送信する
カラオケ選曲装置。
【請求項２】
選曲履歴簿は、楽曲ＩＤに、未演奏曲／既演奏曲の区別を対応付けし、
制御手段は、第１処理にて選曲履歴簿に記録する楽曲ＩＤを未演奏曲とし、
制御手段は、カラオケ装置から１つの楽曲ＩＤを含んだ演奏報告電文を受信した際、選曲履歴簿における未演奏曲中の当該楽曲ＩＤを既演奏曲とし、
制御手段は、第２処理にて一覧表示する曲名・アーティスト名について、未演奏曲と既演奏曲の区別がつくように表示させる
請求項１に記載のカラオケ選曲装置。
【発明の詳細な説明】
【技術分野】
【０００１】
この発明は、カラオケ選曲装置の娯楽性を向上させるための技術改良に関し、特に、カラオケ利用客が選曲し演奏予約した曲の履歴情報を提示する機能を備えたカラオケ選曲装置に関する。
【背景技術】
【０００２】
周知のように、カラオケ店では分厚いカラオケ目次本のかわりに、タブレットタイプのコンピュータで構成された電子目次本（カラオケ選曲装置）が普及している。ＤＡＭステーション、デンモク、キョクＮＡＶＩ、ナビカラなどの商品名で知られている。このようなカラオケ選曲装置は、タブレットコンピュータのもつ高い演算能力や記憶能力・通信能力を利用することにより、個人の好みの曲をあらかじめ記憶させておいたり、多様な切り口でカラオケ楽曲を検索させて選曲したりすることが可能である。
【０００３】
たとえば、特許第３５７３４２０号公報には、アーティストのアルバム名やジャケット写真をつかって目的の曲を検索する機能について開示されている。  
また、特許第３５９５２９２号公報には、利用者別の記憶領域に好みの楽曲を登録しておいたり、読み出して選曲に利用したりできる機能が開示されている。  
また、特許第３６４５２１１号公報には、利用者の年齢や年代に基づいて、利用者の記憶に残る年代の流行曲を検索できる、いわゆる「あの頃検索」機能が開示されている。
【特許文献１】特許第３５７３４２０号公報
【特許文献２】特許第３５９５２９２号公報
【特許文献３】特許第３６４５２１１号公報
【発明の開示】
【発明が解決しようとする課題】
【０００４】
上記のようなさまざまな選曲操作は、あれこれ思いもよらない曲が見つかったりすることもあり、それだけでカラオケの楽しみの一つにもなっている。反面、たまたま見つけた曲については、同じ操作を再現することは面倒であったり難しかったり、曲名やアーティスト名はうろ覚えであることも少なくはなく、同じ曲を再度選曲するのは意外に面倒である。
【０００５】
そこで、利用者がさまざまに検索して選曲した履歴を一目で確認できると便利だと本発明者は考えた。利用者が選曲して演奏予約した楽曲は、一般に、予約曲リストで確認できるし、演奏済みの曲は演奏履歴として確認することができる。しかし選曲履歴であれば、その中には当然に、予約中の曲だけでなく演奏済みの曲も含まれる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまうようなことが避けられる。逆に、先に選曲して予約した曲をもう一度確認したい場合に、演奏済みか予約中かを区別して見るリストを変えることなく、しかも面倒な選曲操作をもう一度最初からしなくても、簡単に確認することができる。
【０００６】
しかも、選曲履歴にある楽曲は元来この利用者の好みに合った楽曲である場合が多いので、その好きな曲のアーティストの情報や楽曲のいわれやＣＤの発売情報など、楽曲にまつわる情報もわかると楽しみが倍増するだろう。本発明は、このようなことを考えながら創作したものである。
【課題を解決するための手段】
【０００７】
本発明は、次の事項（１）〜（14）によって特定されるものである。  
（１）第１通信手段と、第２通信手段と、記憶手段と、ユーザインタフェースと、制御手段とを備え、楽曲索引データベースおよび付加価値データベースにアクセス可能なカラオケ選曲装置であること
（２）楽曲索引データベースは、楽曲ＩＤと曲名とアーティスト名の対応付け情報を集約すること
（３）付加価値データベースは、楽曲ＩＤと付加価値情報源を対応付けて複数格納すること
（４価値情報源は、サイト説明記述とＵＲＬの対応付け情報を少なくとも１つ含むこと
（５）第１通信手段は、カラオケ装置と交信可能とすること
（６）第２通信手段は、インターネットに接続可能とすること
（７）記憶手段は、選曲履歴簿を格納すること
（８）選曲履歴簿は、楽曲ＩＤを選曲予約順に配列すること
（９）ユーザインタフェースは、制御手段の制御により利用者に情報を表示するとともに、利用者の操作入力を受け付けること
（10）制御手段は、第１処理〜第４処理を可能とすること
（11）第１処理は、利用者入力に従って楽曲索引データベースから抽出した１つの楽曲ＩＤを含んだ演奏予約電文をカラオケ装置に送信した際、当該楽曲ＩＤを選曲履歴簿に記録すること
（12）第２処理は、選曲履歴の閲覧を指示する利用者入力があった際、選曲履歴簿から新しい順に所定曲数分の楽曲ＩＤを抽出するとともに、楽曲索引データベースを参照し、それら抽出楽曲の曲名とアーティスト名を表示させ、かつ、１つの曲名の選択入力を受付可能とすること
（13）第３処理は、第２処理にて曲名の選択入力があった際、付加価値データベースから当該楽曲ＩＤに該当する付加価値情報源を抽出し、その中のサイト説明記述を列挙表示させるとともに、１つのサイト説明記述の選択入力を受付可能とすること
（14）第４処理は、第３処理にてサイト説明記述の選択入力があった際、当該サイト説明記述に該当するＵＲＬを抽出し、インターネットに接続して当該ＵＲＬにリクエストを送信すること
【０００８】
この発明において、選曲履歴簿は、楽曲ＩＤに、未演奏曲／既演奏曲の区別を対応付けし、制御手段は、第１処理にて選曲履歴簿に記録する楽曲ＩＤを未演奏曲とし、カラオケ装置から１つの楽曲ＩＤを含んだ演奏報告電文を受信した際、選曲履歴簿における未演奏曲中の当該楽曲ＩＤを既演奏曲とし、第２処理にて一覧表示する曲名・アーティスト名について、未演奏曲と既演奏曲の区別がつくように表示させることが望ましい。
【発明の効果】
【０００９】
この発明に係るカラオケ選曲装置によれば、選曲された曲が予約中の曲だけでなく演奏済みの曲も一覧的にひと目で確認できる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまう、というようなことが避けられる。逆に、先に選曲して予約した曲をもう一度確認したい場合に、予約中か演奏済みかを区別して見るリストを変えることなく、しかも面倒な楽曲検索をもう一度最初からしなくても、簡単に確認したり予約したりすることができる。しかも選曲した好きな曲やアーティストの情報などの楽曲にまつわる情報を簡単に仕入れることもできるので、カラオケの楽しみが飛躍的に拡大する。
【発明を実施するための最良の形態】
【００１０】
＝＝＝ネットワーク構成＝＝＝
図１に、本発明の実施例における通信カラオケシステムのネットワーク構成を示した。インターネット６０ａを利用したＶＰＮ（Virtual Private Network）６０ｂには、カラオケ事業者の各地のカラオケ店１００に敷設されたＬＡＮ１１０やカラオケサーバー７０が接続されて広域イントラネットが構築されている。各地の複数の客室を備えたカラオケ店１００の各客室には、周知の通信カラオケシステムの演奏端末１０と、当該演奏端末を操作するためのカラオケ選曲装置２０が設置されている。演奏端末１０はＬＡＮ１１０を介して同室内のカラオケカラオケ選曲装置２０と通信したり、ルータ５０を経由して接続したＶＰＮ６０ｂを介してカラオケサーバー７０と通信してカラオケ楽曲の伴奏音楽の起源となるカラオケデータの配信を受けたり、稼働ログを送信したりする。
【００１１】
カラオケサーバー７０は、通信カラオケシステムにおけるホスト装置なるコンピュータであり、カラオケ楽曲の起源となるカラオケデータを蓄積したカラオケデータベースや、会員として登録された利用者の情報を管理する会員情報データベースなどの各種データベースを備えている。そして、演奏端末１０やカラオケ選曲装置２０は、ＶＰＮ６０ｂを介してカラオケサーバー７０と通信し、カラオケデータの配信を受けたり、稼働ログを送信したりする。
【００１２】
なお、カラオケサーバー７０の備える各種データベースのうち、カラオケデータベースは、カラオケ楽曲の伴奏音楽や歌詞画像、歌詞画像の背景映像の表示シーケンスなどを含むカラオケデータを楽曲ＩＤをキーにして格納したものである。
【００１３】
会員情報データベースは、会員登録されている利用者が所持するＩＣカードに固有のＩＣカード番号とした個人ＩＤをキーとして、個人情報や各種履歴情報を対応付けして格納し管理している。
【００１４】
＝＝＝カラオケ選曲装置２０＝＝＝
カラオケ選曲装置２０は、タッチパネルを主要なユーザインタフェースとしたタブレットコンピュータである。図２にカラオケ選曲装置２０の機能ブロック構成を示した。ＣＰＵ・ＲＡＭ・ＲＯＭを含む中央制御部２１を主制御部として、ハードディスク装置２２・タッチパネル２３・通信インタフェース２４を備えている。
【００１５】
ハードディスク装置２２には、当該タブレットコンピュータをカラオケ選曲装置として機能させるためのプログラムに加え、演奏端末１０にて演奏可能なカラオケ楽曲について、曲名・アーティスト名・楽曲ジャンルなどの目次情報を、楽曲ＩＤに対応付けして集約した楽曲索引データベースを格納している。
【００１６】
中央制御部２１は、ハードディスク装置２２に格納されているプログラムにしたがって動作し、タッチパネル２３による対話形式のユーザインタフェース環境により、利用者の希望する楽曲の目次情報を楽曲索引データベースから検索して提示する。図３に、カラオケ選曲装置２０のトップメニュー画面を例示した。このトップ画面を起点として、曲名検索・歌手名検索・新譜検索・デュエット曲検索・あのころ検索など、さまざまな検索モードにより選曲を行える。また、利用者により選曲した楽曲を演奏予約する旨の指示入力がなされると、その楽曲の楽曲ＩＤを含む演奏予約電文を同室内の演奏端末１０に送信する。
【００１７】
またこのカラオケ選曲装置２０は、会員が所持するＩＣカードがカードインタフェースに付帯するアンテナにかざされると、ＩＣカードのカードＩＤを読み取って、当該ＩＤをカラオケサーバー７０に送付してカラオケサーバー７０にログインさせる。それによって、カラオケ選曲装置２０を操作する会員が自身の好みの曲の楽曲ＩＤ群（Ｍｙリスト）を取り寄せたり、更新したりすることができる。
【００１８】
なお、楽曲索引データベースは必ずしもカラオケ選曲装置２０に格納する必要はなく、演奏端末１０に格納させて、ＬＡＮ１１０を介してアクセスして検索クエリーの送信に応じて返信させる検索レポートによって必要な目次情報を取り寄せる構成もとれる。カラオケ選曲装置２０のハードディスク装置２２を小容量のフラッシュメモリなどに代えることも可能となり、カラオケ選曲装置２０の省電力化や小型化も可能となる。
【００１９】
＝＝＝付加価値データベース＝＝＝
本実施例のカラオケ選曲装置２０は、ハードディスク装置２２に楽曲索引データベースの他に、付加価値データベースを格納していることに特徴がある。付加価値データベースは、演奏端末１０で演奏可能な各カラオケ楽曲に関連するインターネットサイトのＵＲＬやそのサイトの概要説明などの付加価値情報源を、楽曲ＩＤに対応付けして集約したものである。付加価値情報源とは、たとえば、ある楽曲のアーティストのオフィシャルサイトや、楽曲の歌詞やメロディが表現する情景の元になった場所や人物について記述されているサイトや、楽曲のＣＤを発売しているレコード会社のサイトなど、当該楽曲にまつわる種々の情報にアクセスするためのものである。付加価値データベースのデータ論理構成は、図４に例示している。付加価値データベースに格納される楽曲ＩＤにつき、１組以上のＵＲＬとそのサイトの概要説明記述とが対応付けされている。
【００２０】
なお、付加価値データベースは、カラオケサーバー７０に付加価値情報源を集約して構築し、カラオケ選曲装置２０は適宜な機会にカラオケサーバー７０とデータ通信して同様の付加価値データベースを更新するように構成してもよい。
【００２１】
あるいは、カラオケ選曲装置２０には付加価値データベースを格納せず、以下に説明するように付加価値データベースを参照する必要が生じた都度、カラオケサーバー７０にアクセスする構成でもよい。または、演奏端末１０がカラオケサーバー７０と通信して付加価値データベースを更新管理し、カラオケ選曲装置２０は必要に応じて演奏端末１０と通信して付加価値データベースにアクセスする構成でもよい。
【００２２】
＝＝＝選曲履歴管理＝＝＝
カラオケ選曲装置２０は、各種の楽曲検索機能により選曲された楽曲が演奏予約されると、その選曲の履歴を管理する機能を備えている。カラオケ選曲装置２０の中央制御部２１は、演奏端末１０に送信した演奏予約電文に含めた楽曲ＩＤを時系列にメモリに記憶させ、選曲履歴簿として管理する。図５に選曲履歴簿の論理構成を例示している。演奏予約電文の楽曲ＩＤを選曲履歴簿に記憶する際には、この楽曲ＩＤに予約中の旨を示す未演奏フラグを対応付けて記憶させる。また、ログインした会員による選曲の場合には、会員のカードＩＤ等の識別符号もあわせて選曲履歴簿の楽曲ＩＤに付帯させるとよい。
【００２３】
本実施例の演奏端末１０は、カラオケ選曲装置２０から予約された楽曲の演奏が終了すると、カラオケ選曲装置２０にその旨を通知する機能を備えている。演奏端末１０の中央制御部１１は、演奏処理が終了すると、その楽曲の楽曲ＩＤを含めた演奏報告電文をカラオケ選曲装置２０に返送する。演奏時に歌唱採点機能を利用した場合には、歌唱採点データをあわせて演奏報告電文に含めてもよい。その他の機能を利用した場合にも、適宜に結果の情報を含めてもよい。また、演奏中止などにより演奏処理が中断された場合には、その時点で中断の旨を通知する演奏報告電文を返送すればよい。
【００２４】
なお、演奏端末１０に対応するカラオケ選曲装置２０が同室内に複数台備わっている場合には、各カラオケ選曲装置２０を識別管理する。たとえば、演奏端末１０のメモリに管理している演奏予約リスト中に各カラオケ選曲装置２０の識別符号を対応付けておき、返送すべきカラオケ選曲装置２０を認識すればよい。
【００２５】
演奏端末１０から演奏報告電文を受信すると、カラオケ選曲装置２０の中央制御部２１は、演奏報告電文に含まれている楽曲ＩＤを取り出して選曲履歴簿と対比させ、選曲履歴簿の該当する楽曲ＩＤについて、対応付けされている未演奏フラグを演奏済の旨を示す既演奏フラグに変えて記憶させる。あるいは、既演奏フラグのかわりに演奏日時を対応づけるようにしてもよい。
【００２６】
選曲履歴簿の内容は、適宜な機会に初期化される。たとえば全ログインユーザがログアウトした場合や全利用客が退室した際などに、店員の操作入力により初期化できるようにしておく。ログイン会員ごとに選曲履歴を集計して、会員情報データベースに送信するようにしてもよい。
【００２７】
＝＝＝選曲履歴提示処理＝＝＝
カラオケ選曲装置２０は、利用者の指示入力により選曲履歴を利用者に提示する機能を備えている。適宜なユーザインタフェースにより利用者が選曲履歴の表示を指示入力すると、選曲装置２０の中央制御部２１は、選曲履歴簿を参照して選曲履歴リストをタッチパネル２３に表示させる。たとえばトップ画面（図３）に配設された「選曲りれき」ボタンが指示入力されると、図６に例示した選曲履歴リストをタッチパネル２３に画面表示させる。選曲履歴リストには、選曲履歴簿の各楽曲ＩＤに基づいて楽曲索引データベースを参照し、それぞれの曲名とアーティスト名を一覧表示させる。また、未演奏フラグのついている楽曲は予約中である旨を、また既演奏フラグがついている楽曲については演奏済みである旨を表示させる。たとえば、予約中の楽曲と演奏済みの楽曲とは異なる色の文字で表示させる。
【００２８】
さらに、選曲した会員ＩＤが対応付けされている場合には会員名などを表示させる。既演奏フラグのついた楽曲につき、歌唱採点データが対応付けされている場合には、点数などの情報を表示させる。その他の歌唱結果の情報が対応付けされている場合にも、適宜に結果を表示させる。
【００２９】
なお、選曲履歴簿に登録されている楽曲ＩＤ数が所定数より多い場合は、登録が新しい順に所定曲数分を抽出して利用者に提示すればよい。
【００３０】
一覧表示された選曲履歴リスト中のいずれかの曲が利用者により選択指定入力された場合に、中央制御部２１は、当該楽曲の詳細情報を表示させる。この際に、中央制御部２１は当該楽曲ＩＤに基づいて付加価値データベースにアクセスし、楽曲ＩＤに対応付けされている付加価値情報源を抽出し、図７に例示しているように、当該楽曲に関連するインターネットサイトの概要説明を一覧的に表示させる。このサイト説明記述には、ＨＴＭＬ形式などにより、対応するＵＲＬ情報を埋め込んで構成する。
【００３１】
そして一覧表示されたサイト説明記述の中から、利用者によりいずれか１つが選択指定入力されると、インターネットを介して当該サイトのＵＲＬ情報を含むリクエストを送信し、サイトの情報をディスプレイ２３に表示させる。
【００３２】
もちろん、楽曲の詳細画面からは転送ボタンを押すなどの所定の操作により、当該楽曲の演奏予約が可能である。これにより、利用者は予約リストと演奏履歴の双方を確認しなくても先に選曲された曲目を簡単に確認したり、好きな曲やアーティストの情報などの楽曲にまつわる情報を簡単に仕入れたりできるので、カラオケの楽しみが飛躍的に拡大する。
【図面の簡単な説明】
【００３３】
【図１】本発明の実施例における通信カラオケシステムのネットワーク構成図である。
【図２】本実施例のカラオケ選曲装置のブロック構成図である。
【図３】同カラオケ選曲装置のトップメニュー画面を例示した図である。
【図４】同カラオケ選曲装置が管理する付加価値データベースの論理データ構成を例示している。
【図５】同カラオケ選曲装置が管理する選曲管理簿の論理データ構成を例示している。
【図６】同カラオケ選曲装置における選曲履歴の表示画面を例示した図である。
【図７】同カラオケ選曲装置における楽曲関連サイト情報の表示画面を例示した図である。
【符号の説明】
【００３４】
２０  カラオケ選曲装置
２１  中央制御部
２３  タッチパネル
６０ａ  インターネット
【図２】
2008262119.tif 000003
【図４】
2008262119.tif 000004
【図５】
2008262119.tif 000005
【図６】
2008262119.tif 000006
【図１】
2008262119.tif 000007
【図３】
2008262119.tif 000008
【図７】
2008262119.tif 000009